(57)【要約】【課題】安全性及び正確性を格段に向上させた充電器プローブモジュールの検出装置を提供すること。【解決手段】台座上に密集的に設置される複数のプローブと、各プローブ毎に接続する検出回路と、各プローブ毎に接続する充電回路と、それぞれ検出回路と充電回路に接続する制御ＩＣと、を備え、該検出回路により、電池の補充しようとする電圧及び電流量を検出するとともに、電池の負電極と接触するプローブがどれであるかを正確的に検出して、充電回路が供給する電量を電池の正電極から確実的に補充し得るように構成した。【選択図】図１
0003120400.tif 000002
【実用新案登録請求の範囲】
【請求項１】
台座上に密集的に設置される複数のプローブと、
各プローブ毎に接続する検出回路と、
各プローブ毎に接続する充電回路と、
それぞれ検出回路と充電回路に接続する制御ＩＣと、を備え、
前記検出回路により、電池の補充しようとする電圧及び電流量を検出するとともに、電池の負電極と接触するプローブがどれであるかを検出して、充電回路が供給する電量を電池の正電極から確実的に補充し得るように構成したことを特徴とする、
充電器プローブモジュールの検出装置。
【請求項２】
前記検出回路が、プローブの数量に応じて設けられ、前記プローブ毎の両端が、それぞれ、一組のトランジスタとダイオードに接続し、且つ、そのうちの一端がトランジスタにさらに接続することを特徴とする、請求項１に記載の充電器プローブモジュールの検出装置。
【請求項３】
前記プローブの両端に接続するトランジスタとダイオードを並列に接続したことを特徴とする、請求項２に記載の充電器プローブモジュールの検出装置。
【請求項４】
前記充電回路とプローブとの間に、電流保護回路を別に設けたことを特徴とする、請求項１に記載の充電器プローブモジュールの検出装置。
【考案の詳細な説明】
【技術分野】
【０００１】
本考案は、様々な携帯式電子製品の携帯式リチウム電池または類似構造の電量補充用の充電器に適合する充電器プローブモジュールの検出装置に関するものである。
【背景技術】
【０００２】
新たな電子情報機器の発達に伴い、携帯電話やデジタルカメラなどの情報製品が多く出て来ているが、メーカの運営操作方式及び設計要求の違いに応じて、電池の形態がメーカ毎に別々になる形態が発生している。
【考案の開示】
【考案が解決しようとする課題】
【０００３】
電池を付属充電器に合わせて使用すると、勿論問題は無いが、ある時間を使用した後に充電器が壊れれば、使用者が同じタイプの充電器を買うと、元の使用方式で電池を充電できるが、使用者が、様々なメーカの電池に電量を補充できる汎用タイプの充電器を買うと、汎用タイプの充電器がある個別の電池に対応するように設計されていないので、電池を充電器に結合するときに、特に電気知識の無い使用者が電池の外形だけで電池の極性を簡単に識別できないので、電池の極性と充電器の極性を逆にして充電する場合があり、このような場合は電池の爆裂や回路の焼損等を起こす等の事故の発生がしばしば聞かれた。
【０００４】
また、従来の汎用タイプの充電器にあっては、簡易化するために接点の正電圧だけを測定し、応答の無い接点を全て負電圧と見なしている。しかしながら、最初から接点が接触不良（例えば、破損、汚れ、異物等）であると、負接点を誤判断するような事態になり、充電中に上記した事故が起きる危険がある。
【０００５】
本考案はこれらの点に鑑みて成されたもので、正電圧及び負電圧端子を正確的に判断し、充電器に安全性及び正確性をより持たせる充電器プローブモジュールの検出装置を提供するものである。
【０００６】
本考案の主な目的は、安全性及び正確性をより持たせる充電器プローブモジュールの検出装置を提供することにある。
【０００７】
本考案の次の目的は、電池の正／負電極と接触する端子を判断し、補充しようとする電量を正電極および負電極と接触する端子のみで電池に供給して補充できる充電器プローブモジュールの検出装置を提供することにある。
【課題を解決するための手段】
【０００８】
前記目的を達成するために、本願の第１考案は、台座上に密集的に設置される複数のプローブと、各プローブ毎に接続する検出回路と、各プローブ毎に接続する充電回路と、それぞれ検出回路と充電回路に接続する制御ＩＣと、を備え、前記検出回路により、電池の補充しようとする電圧及び電流量を検出するとともに、電池の負電極と接触するプローブがどれであるかを検出して、充電回路が供給する電量を電池の正電極から確実的に補充し得るように構成したことを特徴とする。
【０００９】
本願の第２考案は、前記検出回路が、プローブの数量に応じて設けられ、前記プローブ毎の両端が、それぞれ、一組のトランジスタとダイオードに接続し、且つ、そのうちの一端がトランジスタにさらに接続することを特徴とする、前記第１考案の充電器プローブモジュールの検出装置を提供する。
【００１０】
本願の第３考案は、前記プローブの両端に接続するトランジスタとダイオードを並列に接続したことを特徴とする、前記第２考案の充電器プローブモジュールの検出装置を提供する。
【００１１】
本願の第４考案は、前記充電回路とプローブとの間に、電流保護回路を別に設けたことを特徴とする、前記第１考案の充電器プローブモジュールの検出装置を提供する。
【考案の効果】
【００１２】
本考案は以下の利点がある。
（１）検出回路により、密集的に配列されるプローブモジュール上に、どのプローブが電池の正電極に接触し、またどのプローブが電池の負電極に接触しているか、さらにはどのプローブが空放置で接触していないかといったことを完全に識別することができる。
（２）検出回路の精密な検出により、電池の負電極を正確的に判断し、充電回路が電池に充電する時に、極性が逆の場合のような危険（例えば、爆裂、回路焼損など）を回避することができる。
【考案を実施するための最良の形態】
【００１３】
図面を参照しながら本考案について詳しく説明する。
図１、図２及び図３を参照して説明する。
【００１４】
本考案に係る充電器プローブモジュールの検出装置は、主に、複数のプローブ１００が設置され、これらのプローブ１００が台座１０上に可動的に結合され、且つ、ピン状またはシート状に設けることができる。
【００１５】
本実施例はシート状プローブを一例として説明する。
天井部に貫通孔が設けられたスリーブ１０１にプローブ１００を挿入し、さらに、ばね１０２をプローブ１００の下方に置き、内部にプローブ１００及びばね１０２が設置されたスリーブ１０１を台座１０に結合する。各プローブ１００はプローブ１００毎に検出回路１１及び充電回路１２と並列に接続する。
【００１６】
該検出回路１１及び充電回路１２は制御ＩＣ１３と接続される。
また、該充電回路１２とプローブ１００の間に電流保護回路１４が別に設けられる。電源２０は検出回路１１、制御ＩＣ１３及び充電回路１２に給電可能に接続して充電器プローブモジュールの検出装置の組立てを完成する。
【００１７】
プローブ１００の数量に応じて設けられた該検出回路１１は、電池３０がプローブモジュール１と接触すると、制御ＩＣ１３が検出回路１１を駆動して全てのプローブ１００に対して検出、走査して、電池３０の電極に接触するプローブ１００がどれであるかを検出すると共に、電池３０が必要とする電圧及び電流を検出する。
また、該検出回路１１はこれらのプローブ１００のどのプローブ１００が電池３０の正／負電極と接触しているかを同時に検出できる。
【００１８】
図４を参照しながら、回路の設置が同じであるため、Ｐ１、Ｐ２の両プローブ１００を一例として説明する。
プローブＰ１、Ｐ２の上方には、それぞれ、トランジスタＱ５、Ｑ６と、もう一組のトランジスタＱ１、ダイオードＤ１及びトランジスタＱ３、ダイオードＤ３が接続し、プローブＰ１、Ｐ２の下方には、一組のトランジスタＱ２、ダイオードＤ２及びトランジスタＱ４、ダイオードＤ４が接続する。
【００１９】
トランジスタＱ１、Ｑ２、Ｑ３、Ｑ４、Ｑ６がともにオフ、トランジスタＱ５がオンとすると、ＶDet＝ＶBat−Ｖ（Ｑ５）−ＶD4≒ＶBat−０．７Ｖであるので、接点の電圧低下が０．６Ｖ〜０．７Ｖを減少することが分かり、プローブＰ１が電池の正極に接続すると見なす。
トランジスタＱ１、Ｑ２、Ｑ３、Ｑ６がともにオフ、トランジスタＱ４、Ｑ５がオンであると、ＶDet＝ＶBat−Ｖ（Ｑ５）−Ｖ（Ｑ４）≒ＶBat−０．１Ｖであるので、接点の電圧低下が僅か０．１Ｖを減少することが分かり、プローブＰ２が電池の負極に接続すると見なす。
【００２０】
以上の記載は単に本考案の好ましい実施例に過ぎなく、本考案を限定するものではなく、当該技術分野における通常の知識を有する者が想到できる適宜の変換や修飾等が本考案の範囲内に含まれることは言うまでもないことである。
【図面の簡単な説明】
【００２１】
【図１】本考案による実施例の回路のブロック図である。
【図２】本考案によるプローブモジュールの斜視外観図である。
【図３】本考案によるプローブの斜視断面図である。
【図４】本考案による検出回路の一部の具体な回路図である。
【符号の説明】
【００２２】
１・・・・・・プローブモジュール
１０・・・・・台座
１１・・・・・検出回路
１２・・・・・充電回路
１３・・・・・制御ＩＣ
１４・・・・・電流保護回路
２０・・・・・電源
３０・・・・・電池
１００・・・・プローブ
１０１・・・・スリーブ
１０２・・・・ばね
【図１】
0003120400.tif 000003
【図２】
0003120400.tif 000004
【図３】
0003120400.tif 000005
【図４】
0003120400.tif 000006